【手続補正書】
【提出日】平成27年10月28日(2015.10.28)
【手続補正１】
【補正対象書類名】特許請求の範囲
【補正対象項目名】全文
【補正方法】変更
【補正の内容】
【特許請求の範囲】
【請求項１】
分散型アンテナシステムにおける資源使用を管理するためのシステムであって、
ワイヤレス無線信号を送受信する複数のデジタル遠隔ユニット（ＤＲＵ）と、
複数のセクタであって、それぞれがワイヤレス無線信号を送受信する複数のセクタと、
複数の相互接続されたデジタルアクセスユニット（ＤＡＵ）であって、それぞれが光信号を介して前記ＤＲＵのうちの少なくとも１つと通信し、それぞれが前記セクタのうちの少なくとも１つに結合される複数の相互接続されたＤＡＵと、
を具備するシステム。
【請求項２】
前記複数のＤＲＵのうちの１つから前記複数のセクタのうちの１つへの信号の電力と、前記複数のＤＲＵのうちの同じ前記１つから前記複数のセクタのうちの別の１つへの同じ前記信号の電力と、を決定するためのアルゴリズムをさらに具備する、請求項１に記載のシステム。
【請求項３】
前記アルゴリズムが非線形である、請求項２に記載のシステム。
【請求項４】
前記セクタのうちの前記少なくとも２つが別々のキャリアに関連付けられ、前記複数のＤＲＵの各ＤＲＵに供給される各キャリアの電力が独立して制御される、請求項２に記載のシステム。
【請求項５】
前記ＤＲＵが、複数のＤＡＵにループ状に接続される、請求項１に記載のシステム。
【請求項６】
単一ＤＡＵポートが、複数の前記セクタに結合される、請求項１に記載のシステム。
【請求項７】
前記複数のＤＡＵの間で信号をルーティングするサーバをさらに具備する、請求項１に記載のシステム。
【請求項８】
前記複数のセクタが、１つの基地送受信局からの複数のセクタを備える、請求項１に記載のシステム。
【請求項９】
前記複数のＤＡＵのそれぞれが、光ファイバ、イーサネット（登録商標）ケーブル、マイクロ波見通し線リンク、ワイヤレスリンク、又は衛星リンクのうちの少なくとも１つを介して信号を送受信することによって、前記ＤＲＵのうちの前記少なくとも１つと通信する、請求項１に記載のシステム。
【請求項１０】
前記複数のＤＡＵのそれぞれが、前記少なくとも１つのセクタから受信した無線信号を光信号に変換するようにさらに構成される、請求項１に記載のシステム。
【請求項１１】
前記ＤＡＵのそれぞれが、前記少なくとも１つのセクタと同一場所に配置される、請求項１に記載のシステム。
【請求項１２】
前記複数のＤＡＵのそれぞれが、複数のＤＲＵに接続される、請求項１に記載のシステム。
【請求項１３】
前記ＤＲＵのうちの少なくともいくつかが、デイジーチェーン構成で接続される、請求項１に記載のシステム。
【請求項１４】
前記ＤＲＵが、前記ＤＡＵにスター構成で接続される、請求項１に記載のシステム。
【請求項１５】
前記システムが、前記複数のＤＲＵのそれぞれについてのセクタ割当てを備える動的データベースをさらに具備し、前記データベースが、前記複数のＤＡＵによってアクセス可能である、請求項１に記載のシステム。
【手続補正２】
【補正対象書類名】明細書
【補正対象項目名】０００７
【補正方法】変更
【補正の内容】
【０００７】
本システムは、複数のＤＲＵのうちの１つから複数のセクタのうちの１つへの信号の電力と、複数のＤＲＵのうちの同じ１つから複数のセクタのうちの別の１つへの同じ信号の電力とを決定するためのアルゴリズムをさらに具備することができる。セクタのうちの上記少なくとも２つが別々のキャリアに関連付けられてもよく、複数のＤＲＵの各ＤＲＵに供給される各キャリアの電力が独立して制御されるＤＲＵが、複数のＤＡＵにループ状に接続されてもよい。単一ＤＡＵポートが、複数のセクタに結合されてもよい。本システムは、複数のＤＡＵの間で信号をルーティングするサーバをさらに具備することができる。複数のセクタは、１つの基地送受信局からの複数のセクタを含んでもよい。複数のＤＡＵのそれぞれが、光ファイバ、イーサネット（登録商標）ケーブル、マイクロ波見通し線リンク（ｍｉｃｒｏｗａｖｅ  ｌｉｎｅ  ｏｆ  ｓｉｇｈｔ  ｌｉｎｋ）、ワイヤレスリンク、又は衛星リンクのうちの少なくとも１つを介して信号を送受信することによって、ＤＲＵのうちの少なくとも１つと通信するように構成されてもよい。複数のＤＡＵのそれぞれが、少なくとも１つのセクタから受信した無線信号を光信号に変換するようにさらに構成されてもよい。ＤＡＵのそれぞれが、少なくとも１つのセクタと同一場所に配置されてもよい。複数のＤＡＵのそれぞれが、複数のＤＲＵに接続されてもよい。ＤＲＵのうちの少なくともいくつかが、デイジーチェーン構成で接続されてもよい。ＤＲＵは、ＤＡＵにスター構成で接続されてもよい。本システムは、複数のＤＲＵのそれぞれについてのセクタ割当てを備える動的データベースをさらに具備してもよく、データベースは、複数のＤＡＵによってアクセス可能である。
【手続補正３】
【補正対象書類名】明細書
【補正対象項目名】００３５
【補正方法】変更
【補正の内容】
【００３５】
図４に示されるように、負荷平衡システムが、複数の基地局（又は複数の基地局ホテル）１０５を備えることができる。基地局は、独立したワイヤレスネットワーク事業者及び／又は複数の規格（ＷＣＤＭＡ［登録商標］、ＬＴＥなど）を表すことができ、又は、さらなるＲＦ搬送波の設備を表す場合もある。基地局信号は、中立ホストアプリケーションに関してありうるように、ＤＡＵに接続される前に組み合わされることがある。異なる基地局１０５は、同じ、重複する、重複しない、又は異なる周波数帯域に関連付けられることがある。基地局１０５は、例えば、ある地理的領域にサービスするために、相互接続されてもよい。相互接続は、基地局間に延長する直接接続（例えば、ケーブル）、又は間接接続（例えば、各基地局がＤＡＵに接続され、ＤＡＵが互いに直接接続される）を含むことができる。基地局の数が多いほど、所与のセルに対し容量を追加する能力が増大する。基地局１０５は、独立したワイヤレスネットワーク事業者、及び／又は複数の規格（ＷＣＤＭＡ、ＬＴＥなど）を表すことができ、且つ／又はさらなるＲＦ搬送波の設備を表す場合もある。いくつかの実施形態では、基地局信号は、中立ホストアプリケーションに関してありうるように、ＤＡＵに接続される前に組み合わされる。一例では、図４に示されるように、ＢＴＳ１からのセクタは、ＢＴＳ  Ｎへのセクタに直接結合される同じＤＡＵ及び／又はＤＲＵに直接結合される。いくつかの他の例では、異なるＢＴＳからの１つ又は複数のセクタが、１つ又は複数の他のＤＡＵのセクタによって共有されないＤＡＵに直接結合されうる。負荷平衡は、異なる基地局１０５に対して異なるかたちで適用されてもそうでなくてもよい。例えば、ＤＲＵ５に対し、ＢＴＳ１におけるセクタ１からセクタ２が再割当てされた場合、ＢＴＳ  Ｎについて同様に再割当てがされてもそうでなくてもよい。
【手続補正４】
【補正対象書類名】明細書
【補正対象項目名】０１２４
【補正方法】変更
【補正の内容】
【０１２４】
また、本明細書に記載の例及び実施形態は、単に例示が目的であり、様々な修正及び変更が、それらを考慮して当業者に示唆され、本出願の趣旨及び範囲並びに添付の特許請求の範囲内に含まれるものであることを理解されたい。
［発明の例］
［例１］
分散型アンテナシステムにおける資源使用を管理するためのシステムであって、
ワイヤレス無線信号を送受信する複数のデジタル遠隔ユニット（ＤＲＵ）と、
複数のセクタであって、それぞれがワイヤレス無線信号を送受信する複数のセクタと、
複数の相互接続されたデジタルアクセスユニット（ＤＡＵ）であって、それぞれが光信号を介して前記ＤＲＵのうちの少なくとも１つと通信し、それぞれが前記セクタのうちの少なくとも１つに結合される複数の相互接続されたＤＡＵと、
を具備するシステム。
［例２］
前記複数のＤＲＵのうちの１つから前記複数のセクタのうちの１つへの信号の電力と、前記複数のＤＲＵのうちの前記同じ１つから前記複数のセクタのうちの別の１つへの前記同じ信号の電力と、を決定するためのアルゴリズムをさらに具備する、例１に記載のシステム。
［例３］
前記アルゴリズムが非線形である、例２に記載のシステム。
［例４］
前記セクタのうちの前記少なくとも２つが別々のキャリアに関連付けられ、前記複数のＤＲＵの各ＤＲＵに供給される各キャリアの電力が独立して制御される、例２に記載のシステム。
［例５］
前記ＤＲＵが、複数のＤＡＵにループ状に接続される、例１に記載のシステム。
［例６］
単一ＤＡＵポートが、複数の前記セクタに結合される、例１に記載のシステム。
［例７］
前記複数のＤＡＵの間で信号をルーティングするサーバをさらに具備する、例１に記載のシステム。
［例８］
前記複数のセクタが、１つの基地送受信局からの複数のセクタを備える、例１に記載のシステム。
［例９］
前記複数のＤＡＵのそれぞれが、光ファイバ、イーサネットケーブル、マイクロ波見通し線リンク、ワイヤレスリンク、又は衛星リンクのうちの少なくとも１つを介して信号を送受信することによって、前記ＤＲＵのうちの前記少なくとも１つと通信する、例１に記載のシステム。
［例１０］
前記複数のＤＡＵのそれぞれが、前記少なくとも１つのセクタから受信した無線信号を光信号に変換するようにさらに構成される、例１に記載のシステム。
［例１１］
前記ＤＡＵのそれぞれが、前記少なくとも１つのセクタと同一場所に配置される、例１に記載のシステム。
［例１２］
前記複数のＤＡＵのそれぞれが、複数のＤＲＵに接続される、例１に記載のシステム。
［例１３］
前記ＤＲＵのうちの少なくともいくつかが、デイジーチェーン構成で接続される、例１に記載のシステム。
［例１４］
前記ＤＲＵが、前記ＤＡＵにスター構成で接続される、例１に記載のシステム。
［例１５］
前記システムが、前記複数のＤＲＵのそれぞれについてのセクタ割当てを備える動的データベースをさらに具備し、前記データベースが、前記複数のＤＡＵによってアクセス可能である、例１に記載のシステム。
［例１６］
分散型アンテナシステムにおける資源使用を管理するための方法であって、
デジタル遠隔ユニット（ＤＲＵ）を、複数のセクタのうちの第１のセクタに割り当てるステップと、
ＤＲＵから、第１の光信号を第１のデジタルアクセスユニット（ＤＡＵ）で受信するステップと、
前記第１の光信号を第１の無線信号に変換するステップと、
前記第１の無線信号を前記第１のセクタに伝送するステップと、
前記ＤＲＵを、前記複数のセクタのうちの第２のセクタに再割り当てするステップであり、前記第２のセクタが前記第１のセクタと異なる、ステップと、
前記ＤＲＵから、第２の光信号を前記第１のＤＡＵで受信するステップと、
前記第２の光信号を前記第１のＤＡＵから第２のＤＡＵに伝送するステップと、
前記第２の光信号を第２の無線信号に変換するステップと、
前記第２の無線信号を前記第２のセクタに伝送するステップと
を含む方法。
［例１７］
前記再割当てが、ネットワークのカバレッジの一部分におけるワイヤレスネットワークの実際の又は予測された使用増加に少なくとも部分的に基づく、例１６に記載の方法。
［例１８］
前記割当てをデータベースに格納するステップと、
前記再割当てを含むように前記データベースを更新するステップと、
をさらに含む、例１６に記載の方法。
［例１９］
前記分散型アンテナシステムのハードウェアアーキテクチャが、前記割当てと前記再割当てとの間で修正されない、例１６に記載の方法。
［例２０］
分散型アンテナシステムにおける資源使用を管理するための方法であって、
無線信号を受信するステップと、
前記信号の少なくとも一部分を復号するステップと、
前記復号された信号に基づいて、複数のデジタル遠隔ユニット（ＤＲＵ）のうちから発信元ＤＲＵを識別するステップと、
前記信号をデジタル信号に変換するステップと、
前記識別された発信元ＤＲＵに基づいて、複数のセクタから部分集合の受信セクタを決定するステップと、
前記デジタル信号を前記部分集合の受信セクタに伝送するステップと、
を含む方法。
［例２１］
前記デジタル信号を前記部分集合の受信セクタに伝送するステップが、第１のデジタルアクセスユニット（ＤＡＵ）によって実行され、前記デジタル信号を第２のＤＡＵに伝送するサブステップを含む、例２０に記載の方法。
［例２２］
前記部分集合のセクタが１つのセクタを含む、例２０に記載の方法。
［例２３］
前記部分集合の受信セクタが、ネットワーク使用における動的な地理的不一致に少なくとも部分的に基づいて動的ＤＲＵ−セクタ割当てデータベースを少なくとも部分的に使用することによって決定される、例２０に記載の方法。
［例２４］
複数のコンピュータ可読命令を具備する非一時的コンピュータ可読記憶媒体であって、前記複数の命令が、前記コンピュータ可読記憶媒体に有形に具現化され、１つ又は複数のデータプロセッサによって実行されたとき、ワイヤレスネットワーク信号のルーティングを実現し、前記複数の命令は、
前記データプロセッサに、デジタル信号を復号させる命令と、
前記データプロセッサに、前記復号された信号に基づいてデジタル遠隔ユニット（ＤＲＵ）を識別させる命令と、
前記データプロセッサに、前記デジタル信号を無線周波数信号に変換させる命令と、
前記データプロセッサに、前記ＤＲＵを１つ又は複数の基地送受信局セクタと対にする割当てを動的に決定させる命令であり、前記割当てが、ネットワーク使用における動的な地理的不一致に少なくとも部分的に基づく、命令と、
前記データプロセッサに、前記デジタル信号を前記１つ又は複数の割り当てられたセクタへ伝送させる命令と、
を備える、非一時的コンピュータ可読記憶媒体。
［例２５］
分散型アンテナシステムにおいて信号をルーティングするためのシステムであって、
複数のデジタルアクセスユニット（ＤＡＵ）であり、互いに結合され、前記複数のＤＡＵの間で信号をルーティングするように動作する複数のＤＡＵと、
複数のデジタル遠隔ユニット（ＤＲＵ）であり、前記複数のＤＡＵに結合され、ＤＲＵとＤＡＵとの間で信号を移送するように動作する複数のＤＲＵと、
複数の基地送受信局（ＢＴＳ）と、
複数の基地送受信局セクタ無線周波数接続であって、前記複数のＤＡＵに結合され、前記複数のＤＡＵと前記複数の基地送受信局セクタ無線周波数接続との間で信号をルーティングするように動作する複数の基地送受信局セクタ無線周波数接続と
１つ又は複数のルーティングテーブルと、
を具備するシステム。
［例２６］
前記複数のＤＲＵがさらに、互いに結合され、前記複数のＤＲＵの間で信号をルーティングするように動作する、例２５に記載のシステム。
［例２７］
前記複数のＤＡＵが、イーサネットケーブル、光ファイバ、マイクロ波見通し線リンク、ワイヤレスリンク、又は衛星リンクのうちの少なくとも１つを介して結合される、例２５に記載のシステム。
［例２８］
前記複数のＤＡＵが、イーサネットケーブル、光ファイバ、マイクロ波見通し線リンク、ワイヤレスリンク、又は衛星リンクのうちの少なくとも１つを介して、前記複数のＤＲＵと結合される、例２５に記載のシステム。
［例２９］
前記ＤＲＵが、デイジーチェーン構成で接続される、例２５に記載のシステム。
［例３０］
前記ＤＲＵが、前記ＤＡＵにスター構成で接続される、例２５に記載のシステム。
［例３１］
前記ＤＡＵが、イーサネットケーブル、光ファイバ、マイクロ波見通し線リンク、ワイヤレスリンク、又は衛星リンクのうちの少なくとも１つを介して、前記ＢＴＳに接続される、例２５に記載のシステム。
［例３２］
前記ＤＲＵが、複数のＤＡＵにループ状に接続される、例２５に記載のシステム。
［例３３］
単一ＤＡＵポートが複数の基地送受信局に結合される、例２５に記載のシステム。
［例３４］
複数のデジタルアクセスユニット（ＤＡＵ）、複数のデジタル遠隔ユニット（ＤＲＵ）、複数の基地送受信局（ＢＴＳ）、及び複数の基地送受信局セクタ無線周波数接続を含む分散型アンテナシステムにおいて、信号をルーティングするための方法であって、
前記ＤＲＵと前記ＤＡＵとの間で信号を移送するステップと、
前記ＤＡＵの１つ又は複数のピアポートを使用してＤＡＵの間で前記信号をルーティングするステップと、
ＤＡＵと前記複数のＢＴＳセクタ無線周波数ポート接続との間で前記信号をルーティングするステップと、
を含む方法。
［例３５］
前記ＤＲＵと前記ＤＡＵの間で前記信号を移送する前に、ＤＲＵのデイジーチェーン間で前記信号をルーティングするステップをさらに含む、例３４に記載の方法。
［例３６］
ルーティングテーブルを用意するステップと、
前記ルーティングテーブル内の併合ブロックを使用して、前記ＤＡＵの入力から前記ＤＡＵの出力へ信号をルーティングするステップと、
をさらに含む、例３４に記載の方法。
［例３７］
前記ルーティングテーブルが前記ＤＡＵ内に提供される、例３６に記載の方法。
［例３８］
ルーティングテーブルを用意するステップと、
前記ルーティングテーブル内の併合ブロックを使用して、前記ＤＲＵの入力から前記ＤＲＵの出力へ信号をルーティングするステップと、
をさらに含む、例３４に記載の方法。
［例３９］
前記ルーティングテーブルが前記ＤＲＵ内に提供される、例３８に記載の方法。
［例４０］
各ＤＲＵにおける各キャリアの電力レベルが独立して制御される、例３４に記載の方法。